(57)【要約】      （修正有）【課題】構造が簡単で、生産し易く、組立が手軽で、便利で、生産能率が高いプリンター用インクジェットカートリッジを提供する。【解決手段】お互いにマッチング接続となるインクジェットカートリッジ本体１と係合カバー２を含み、前記インクジェットカートリッジ本体と係合カバーとの接合端面には位置決め棒１１とフリップチップ１２が設置され、前記係合カバー上の対応する位置には位置決め孔２１と係合部位２２が設置される。前記インクジェットカートリッジ本体１と係合カバー２との接合端の片側端面にはノズル１３が設置され、中間端面には信号遮断部１４が設置され、前記係合カバーは前記信号遮断部と前記接合端の他の片側端面をカバーし、前記位置決め棒は前記位置決め孔に挿入され、前記フリップチップは前記係合部位にロッキングされている。【選択図】図２
0003182821.tif 000002
【実用新案登録請求の範囲】
【請求項１】
お互いにマッチング接続となるインクジェットカートリッジ本体（１）と係合カバー（２）を含むプリンター用インクジェットカートリッジにおいて、
前記インクジェットカートリッジ本体（１）と係合カバー（２）との接合端面には位置決め棒（１１）とフリップチップ（１２）が設置され、前記係合カバー（２）上の対応する位置には位置決め孔（２１）と係合部位（２２）が設置され、前記位置決め棒（１１）は前記位置決め孔（２１）に挿入され、前記フリップチップ（１２）は前記係合部位（２２）にロッキングされている、
ことを特徴とするプリンター用インクジェットカートリッジ。
【請求項２】
前記インクジェットカートリッジ本体（１）と係合カバー（２）との接合端の片側端面にはノズル（１３）が設置され、中間端面には信号遮断部（１４）が設置され、前記係合カバー（２）は前記信号遮断部（１４）と前記接合端の他の片側端面をカバーし、前記位置決め棒（１１）は前記ノズル（１３）と信号遮断部（１４）との間の端面上、および前記接合端の他の片側端面上に設置され、前記フリップチップ（１２）は前記信号遮断部（１４）の両側側面上に設置されている、
ことを特徴とする請求項１に記載のプリンター用インクジェットカートリッジ。
【請求項３】
前記位置決め棒（１１）とフリップチップ（１２）は前記インクジェットカートリッジ本体（１）と一体に射出成形されている、
ことを特徴とする請求項２に記載のプリンター用インクジェットカートリッジ。
【考案の詳細な説明】
【技術分野】
【０００１】
本考案はプリンター用インクジェットカートリッジに関わるものである。
【背景技術】
【０００２】
現在、市販のプリンター用インクジェットカートリッジは、インクジェットカートリッジ本体と係合カバーを含み、両者の間はそれぞれインクジェットカートリッジ本体の両側に設置される係合構造と係合カバー裏側の対応する位置に設置される係合部位によってお互いに結合されるので、構造が非常に煩雑で、加工精度の要求が高く、生産が難しく、組立が不便で、効率が非常に低い。
【考案の概要】
【考案が解決しようとする課題】
【０００３】
従来技術の上記課題を解決するために、本考案では構造が簡単で、生産し易く、組立が手軽で、便利で、生産能率が高いプリンター用インクジェットカートリッジを提供する。
【課題を解決するための手段】
【０００４】
インクジェットカートリッジにおいて、お互いにマッチング接続となるインクジェットカートリッジ本体と係合カバーを含み、前記インクジェットカートリッジ本体と係合カバーとの接合端面には位置決め棒とフリップチップが設置され、前記係合カバー上の対応する位置には位置決め孔と係合部位が設置され、前記位置決め棒は前記位置決め孔に挿入され、前記フリップチップは前記係合部位にロッキングされる。
【０００５】
さらに、前記インクジェットカートリッジ本体と係合カバーとの接合端の片側端面にはノズルが設置され、中間端面には信号遮断部が設置され、前記係合カバーは前記信号遮断部と前記接合端の他の片側端面を覆い、前記位置決め棒は前記ノズルと信号遮断部との間の端面上、および前記接合端の他の片側端面上に設置され、前記フリップチップは前記信号遮断部の両側側面上に設置される。
【０００６】
さらに、前記位置決め棒とフリップチップは前記インクジェットカートリッジ本体と一体に射出成形される。
【考案の効果】
【０００７】
本考案によれば、係合カバーとインクジェットカートリッジをその上に設置される位置決め棒と位置決め孔を通じて、フリップチップと係合部位をしっかりと接合させることによって、組立操作が手軽で、便利で、速やかになり、構造が非常に簡単で、生産の難しさを大きく低減し、生産能率を効果的に向上し、しかも、係合カバーは、インクジェットカートリッジ本体の接合端部分だけをカバーするデザインとなっているため、係合カバーの材料の消耗を減らし、コストを低減することができる。
【図面の簡単な説明】
【０００８】
【図１】図１は本考案の前記プリンター用インクジェットカートリッジ実施例の構造を示す図である。
【図２】図２は本考案の前記プリンター用インクジェットカートリッジ実施例の組立構造を示す図である。
【考案を実施するための形態】
【０００９】
本考案の目的や、技術手段および長所などをさらにはっきりと説明するために、以下、添付図および実施例に合わせて、本考案に対してさらに詳しく説明するものとする。理解すべきことは、ここで説明している具体的な実施例は、本考案を解釈するためのもので、本考案を限定するものではない。
【００１０】
図１と図２を参照する。
【００１１】
本考案の実施例に係わる新型プリンター用インクジェットカートリッジは、お互いにマッチング接続となるインクジェットカートリッジ本体１と係合カバー２を含み、前記インクジェットカートリッジ本体１と係合カバー２との接合端面には位置決め棒１１とフリップチップ１２が設置され、前記係合カバー２上の対応する位置には位置決め孔２１と係合部位２２が設置され、前記インクジェットカートリッジ本体１と係合カバー２との接合端の片側端面にはノズル１３が設置され、中間端面には信号遮断部１４が設置され、前記位置決め棒１１はノズル１３と信号遮断部１４との間の端面上、および前記接合端の他の側面上に設置され、前記フリップチップ１２は信号遮断部１４の両側側面上に設置され、前記位置決め棒１１とフリップチップ１２はインクジェットカートリッジ本体１と一体に射出成形される。
【００１２】
組立てる際、前記係合カバー２は信号遮断部１４と前記接合端面の他の片側端面をカバーし、前記位置決め棒１１は位置決め孔２１の中に挿入され、係合カバー２はインクジェットカートリッジ本体１としっかりと接合されるので、組立操作が手軽で、便利で、速やかになり、構造が非常に簡単で、生産の難しさを大きく低減し、生産能率を効果的に向上し、しかも、係合カバー２は、インクジェットカートリッジ本体１の接合端部分だけをカバーするデザインとなっているため、係合カバーの材料の消耗を減らし、コストを低減することができる。
【００１３】
勿論、前記係合カバー２はインクジェットカートリッジ本体１全体の接合端をカバーすることもでき、従って、前記ノズル１の片側（信号遮断部１４と接する側）には前記位置決め棒１１が設置され、前記係合カバー２と対応する位置にも前記位置決め孔２１が設置される。
【００１４】
上記内容は好ましい実施形態において本考案に対して詳しく説明したものであって、本考案はこれらの説明に限定するものではない。本考案の技術分野に所属する一般技術者なら、本考案の構想を離れない前提で、若干の簡単な改良と取り替えを行うことができるが、これらはいずれも本考案の保護範囲に属すると見なす。
【符号の説明】
【００１５】
1 インクジェットカートリッジ本体
2 係合カバー
11 位置決め棒
12 フリップチップ
13 ノズル
14 信号遮断部
21 位置決め孔
22 係合部位
【図１】
0003182821.tif 000003
【図２】
0003182821.tif 000004